(57)【特許請求の範囲】
【請求項１】
デジタルカメラとプリンタとが機能的に結合されてなるプリントシステムであって、
上記デジタルカメラは、
被写体を電子的に撮影して画像データを出力する撮像手段と、
この撮像手段から出力される画像データまたはその他の情報を情報記録媒体に記録するとともに当該記録においては当該情報記録媒体内をツリー構造となるファイルシステムとし、かつ、そのツリー構造において一括印刷を行った画像ファイル名と日時を履歴情報として記録した履歴ファイルを格納する履歴ディレクトリをイメージディレクトリと並列に設けて記録を行うようになす一方、上記プリンタで新規に一括印刷がなされた画像ファイルの画像ファイル名と印刷日時を新規な履歴情報として履歴ファイルに記録し、必要に応じて該情報記録媒体から読み出す記録読出手段と、
この記録読出手段により読み出された画像データの送信を含む上記プリンタとの通信を行うカメラ側通信手段と、
撮影分印刷モードを含む印刷モードを設定するものであって、該撮影分印刷モードを設定したときには、上記情報記録媒体の上記履歴ファイル内に記録されている過去の履歴情報を参照して、該履歴情報が存在しない場合には上記情報記録媒体に記録されている全画像データを印刷対象とし、一以上の履歴情報が存在する場合には、その内の最新の履歴情報にすでに印刷がなされたとして含まれている画像データを指し示す画像ファイル名の数字部分情報または画像ファイルに付されるタイムスタンプ情報に基づく情報により最新の画像データとして指し示される画像データが印刷された以降に新規に追加撮影された画像データを印刷対象として、この印刷対象となった画像データを上記記録読出手段により読み出させて上記カメラ側通信手段により上記プリンタに送信させるように制御し、さらに該撮影分印刷モードにより新規に印刷された画像データを指し示す画像ファイル名と印刷日時の情報を新たな履歴情報として作成して上記記録読出手段により上記情報記録媒体の履歴ファイルに記録させるように制御する制御手段と、
を含んで構成され、
上記プリンタは、
上記デジタルカメラから送信される画像データの受信を含む該デジタルカメラとの通信を行うプリンタ側通信手段と、
このプリンタ側通信手段を介して受信した画像データを印刷用紙に印刷する印刷手段と、
を含んで構成されていることを特徴とするプリントシステム。
【請求項２】
デジタルカメラとプリンタとが機能的に結合されてなるプリントシステムに適合したデジタルカメラであって、
被写体を電子的に撮影して画像データを出力する撮像手段と、
この撮像手段から出力される画像データまたはその他の情報を情報記録媒体に記録するとともに当該記録においては当該情報記録媒体内をツリー構造となるファイルシステムとし、かつ、そのツリー構造において一括印刷を行った画像ファイル名と日時を履歴情報として記録した履歴ファイルを格納する履歴ディレクトリをイメージディレクトリと並列に設けて記録を行うようになす一方、上記プリンタで新規に一括印刷がなされた画像ファイルの画像ファイル名と印刷日時を新規な履歴情報として履歴ファイルに記録し、必要に応じて該情報記録媒体から読み出す記録読出手段と、
この記録読出手段により読み出された画像データの送信を含む上記プリンタとの通信を行うカメラ側通信手段と、
撮影分印刷モードを含む印刷モードを設定するものであって、該撮影分印刷モードを設定したときには、上記情報記録媒体の上記履歴ファイル内に記録されている過去の履歴情報を参照して、該履歴情報が存在しない場合には上記情報記録媒体に記録されている全画像データを印刷対象とし、一以上の履歴情報が存在する場合には、その内の最新の履歴情報にすでに印刷がなされたとして含まれている画像データを指し示す画像ファイル名の数字部分情報または画像ファイルに付されるタイムスタンプ情報に基づく情報により最新の画像データとして指し示される画像データが印刷された以降に新規に追加撮影された画像データを印刷対象として、この印刷対象となった画像データを上記記録読出手段により読み出させて上記カメラ側通信手段により上記プリンタに送信させるように制御し、さらに該撮影分印刷モードにより新規に印刷された画像データを指し示す画像ファイル名と印刷日時の情報を新たな履歴情報として作成して上記記録読出手段により上記情報記録媒体の履歴ファイルに記録させるように制御する制御手段と、
を具備したことを特徴とするデジタルカメラ。
【請求項３】
上記制御手段は、上記画像データを画像データ毎に独立した画像ファイルとして上記情報記録媒体に記録させるとともに、新たな履歴情報が作成される毎に該履歴情報を一の履歴ファイルに追記させるように、上記記録読出手段を制御するものであることを特徴とする請求項２に記載のデジタルカメラ。
【請求項４】
上記制御手段は、上記画像データを画像データ毎に独立した画像ファイルとして上記情報記録媒体に記録させるとともに、新たな履歴情報が作成される毎に該履歴情報を履歴情報毎の独立した履歴ファイルとして該情報記録媒体に記録させるように、上記記録読出手段を制御するものであることを特徴とする請求項２に記載のデジタルカメラ。
【請求項５】
上記制御手段は、上記履歴ファイルに、該履歴ファイルが作成された順序に応じた連続した数字を含むファイル名を付するように、上記記録読出手段を制御するとともに、該ファイル名の数字部分を参照することにより最新の履歴情報を含む履歴ファイルであるか否かを判断するものであることを特徴とする請求項４に記載のデジタルカメラ。
【請求項６】
上記制御手段は、上記履歴情報における印刷された画像データを指し示す情報として、上記撮影分印刷モードにより印刷された全ての画像データに係る画像ファイルのファイル名を用いるものであることを特徴とする請求項２に記載のデジタルカメラ。
【請求項７】
上記制御手段は、上記画像ファイルに、該画像ファイルが撮影された順序に応じた連続した数字を含むファイル名を付するように、上記記録読出手段を制御するものであって、さらに、上記履歴情報における印刷された画像データを指し示す情報として、上記撮影分印刷モードにより印刷された全ての画像データに係る画像ファイルのファイル名の内の、該ファイル名に含まれる数字部分が最も小さいファイル名と、最も大きいファイル名と、を用いるものであることを特徴とする請求項２に記載のデジタルカメラ。
【請求項８】
上記履歴ファイルに記録される画像ファイルのファイル名は、上記情報記録媒体に構築されるファイルシステムにより規定される絶対パスを含むファイル名であることを特徴とする請求項６または請求項７に記載のデジタルカメラ。
【請求項９】
印刷モードとして、上記撮影分印刷モードにより過去に印刷された一連の画像データを印刷対象とする過去ファイル印刷モードをさらに設定可能であり、
上記制御手段は、上記履歴情報に含まれる画像データを指し示す情報に基づき、印刷対象とする画像データを設定するものであることを特徴とする請求項２に記載のデジタルカメラ。
【請求項１０】
印刷モードとして、複数の画像データを一の印刷用紙に配列して印刷するためのインデックス印刷モードをさらに設定可能であって、このインデックス印刷モードにおいては、複数の画像データとして、上記情報記録媒体に記録されている全画像データと、上記撮影分印刷モードにより印刷された履歴のある一連の画像データと、の何れかを少なくとも指定可能であり、
上記制御手段は、インデックス印刷モードにおいて撮影分印刷モードにより印刷された履歴のある一連の画像データが指定された場合には、上記履歴情報に含まれる画像データを指し示す情報に基づき、印刷対象とする画像データを設定するものであることを特徴とする請求項２に記載のデジタルカメラ。
【発明の詳細な説明】
【０００１】
【発明の属する技術分野】
本発明は、プリントシステム、デジタルカメラに関し、特に、プリント動作に関する履歴を保存して種々の利便性が得られるようにした技術に関する。
【０００２】
【従来の技術】
近年、例えば、特開平１０−２５０１９０号公報に開示されているように、デジタルカメラとこのデジタルカメラで撮影した画像をプリントするプリンタとを有してなるシステムは種々のものが提案されるに至っている。この特開平１０−２５０１９０号公報に所載のシステムでは、デジタルカメラ側からバッテリによって携帯型のプリンタに給電してプリント動作が行われるように構成され、デジタルカメラ側でバッテリの残容量が低下したときにはプリント動作を中止しかつそのときまでのプリントの進捗状況等に関する情報をデジタルカメラ側で保持しておき、プリント動作が再開されたときに、そのようにして保持された情報に基づいて適切な段階から始動できるように構成されている。
【０００３】
また一方、本出願人もデジタルカメラとこのデジタルカメラで撮影した画像をプリントするプリンタとを有してなるシステムを、特開平１０−２００８５０号公報において提案している。この提案では、プリント対象として選択された画像をデジタルカメラの表示部に表示して確認され得るようにして、この確認がなされた画像を表すデータをプリンタ側に送出するようにしている。このような構成によれば、プリント対象画像の選択と確認、並びに、意図した画像のプリントが容易かつ確実になされ得ることになる。
【０００４】
しかし、これらのシステムでは、いつ頃どの画像をプリントしたか等のプリント動作に関する履歴は一時的にしか保存されず、例えば、デジタルカメラに適用されたメモリカードなどの情報記録媒体が交換されるといったことがあると、そのときにデジタルカメラに装着されている情報記録媒体中の画像についてのプリント履歴を知る方途がなくなってしまう。
【０００５】
このような場合、ユーザは、例えば手でメモを取ったり、あるいはパーソナルコンピュータ等のデータベースソフトウェアを用いて入力したりするなどの別途の手段によって画像をプリントした履歴を克明に記録しておけば、その記録を参照しつつ未プリントの画像を認識し所望の画像を過不足なくプリントすることは可能であるが、それでも、この別途の記録の保管や、これを検索し参照しての操作というのは一般のユーザにとっては極めて煩雑である。
【０００６】
そこで、本出願人は、特開平１１−２５４７６４号公報において、画像情報と画像情報毎のプリンタ制御情報とが記録された記録媒体を装着部に装着して、該プリンタ制御情報に基づき印刷を行うプリント装置であって、該プリンタ制御情報のうち、印刷手段による印刷出力の来歴を管理するプリント来歴情報を書き換えるようにする技術を提案している。このプリント来歴情報を利用することにより、ユーザ側で面倒な管理を行わなくても、画像がプリント済みであるか否かや、あるいはプリント日時などを確認することが可能である。
【０００７】
【発明が解決しようとする課題】
ところで、ユーザが撮影を行うケースとしては、例えば旅行に出かけたときや、運動会などにおいて何枚かの撮影を行う場合が考えられるが、このときに、情報記録媒体に記録されている画像の内の、旅行あるいは運動会に係る最新の一連の画像だけを、手軽に印刷したいという要望がある。
【０００８】
しかし、上記特開平１１−２５４７６４号公報に記載された技術では、上述したプリント来歴情報等の動作履歴をどのように活用すれば、こうした要望に応えることができるかの具体的な手段までは記載されていない。
【０００９】
本発明は上記事情に鑑みてなされたものであり、デジタルカメラとこのデジタルカメラで撮影した画像をプリントするプリンタとを有してなるプリントシステムにおいて、未印刷の一連の画像を手軽にプリントすることができる技術を提供することを目的としている。
【００１０】
【課題を解決するための手段】
上記の目的を達成するために、第１の発明によるプリントシステムは、デジタルカメラとプリンタとが機能的に結合されてなるプリントシステムであって、上記デジタルカメラは、被写体を電子的に撮影して画像データを出力する撮像手段と、この撮像手段から出力される画像データまたはその他の情報を情報記録媒体に記録するとともに当該記録においては当該情報記録媒体内をツリー構造となるファイルシステムとし、かつ、そのツリー構造において一括印刷を行った画像ファイル名と日時を履歴情報として記録した履歴ファイルを格納する履歴ディレクトリをイメージディレクトリと並列に設けて記録を行うようになす一方、上記プリンタで新規に一括印刷がなされた画像ファイルの画像ファイル名と印刷日時を新規な履歴情報として履歴ファイルに記録し、必要に応じて該情報記録媒体から読み出す記録読出手段と、この記録読出手段により読み出された画像データの送信を含む上記プリンタとの通信を行うカメラ側通信手段と、撮影分印刷モードを含む印刷モードを設定するものであって、該撮影分印刷モードを設定したときには、上記情報記録媒体の上記履歴ファイル内に記録されている過去の履歴情報を参照して、該履歴情報が存在しない場合には上記情報記録媒体に記録されている全画像データを印刷対象とし、一以上の履歴情報が存在する場合には、その内の最新の履歴情報にすでに印刷がなされたとして含まれている画像データを指し示す画像ファイル名の数字部分情報または画像ファイルに付されるタイムスタンプ情報に基づく情報により最新の画像データとして指し示される画像データが印刷された以降に新規に追加撮影された画像データを印刷対象として、この印刷対象となった画像データを上記記録読出手段により読み出させて上記カメラ側通信手段により上記プリンタに送信させるように制御し、さらに該撮影分印刷モードにより新規に印刷された画像データを指し示す画像ファイル名と印刷日時の情報を新たな履歴情報として作成して上記記録読出手段により上記情報記録媒体の履歴ファイルに記録させるように制御する制御手段と、を含んで構成され、上記プリンタは、上記デジタルカメラから送信される画像データの受信を含む該デジタルカメラとの通信を行うプリンタ側通信手段と、このプリンタ側通信手段を介して受信した画像データを印刷用紙に印刷する印刷手段と、を含んで構成されていることを特徴とする。
【００１１】
また、第２の発明によるデジタルカメラは、デジタルカメラとプリンタとが機能的に結合されてなるプリントシステムに適合したデジタルカメラであって、被写体を電子的に撮影して画像データを出力する撮像手段と、この撮像手段から出力される画像データまたはその他の情報を情報記録媒体に記録するとともに当該記録においては当該情報記録媒体内をツリー構造となるファイルシステムとし、かつ、そのツリー構造において一括印刷を行った画像ファイル名と日時を履歴情報として記録した履歴ファイルを格納する履歴ディレクトリをイメージディレクトリと並列に設けて記録を行うようになす一方、上記プリンタで新規に一括印刷がなされた画像ファイルの画像ファイル名と印刷日時を新規な履歴情報として履歴ファイルに記録し、必要に応じて該情報記録媒体から読み出す記録読出手段と、この記録読出手段により読み出された画像データの送信を含む上記プリンタとの通信を行うカメラ側通信手段と、撮影分印刷モードを含む印刷モードを設定するものであって、該撮影分印刷モードを設定したときには、上記情報記録媒体の上記履歴ファイル内に記録されている過去の履歴情報を参照して、該履歴情報が存在しない場合には上記情報記録媒体に記録されている全画像データを印刷対象とし、一以上の履歴情報が存在する場合には、その内の最新の履歴情報にすでに印刷がなされたとして含まれている画像データを指し示す画像ファイル名の数字部分情報または画像ファイルに付されるタイムスタンプ情報に基づく情報により最新の画像データとして指し示される画像データが印刷された以降に新規に追加撮影された画像データを印刷対象として、この印刷対象となった画像データを上記記録読出手段により読み出させて上記カメラ側通信手段により上記プリンタに送信させるように制御し、さらに該撮影分印刷モードにより新規に印刷された画像データを指し示す画像ファイル名と印刷日時の情報を新たな履歴情報として作成して上記記録読出手段により上記情報記録媒体の履歴ファイルに記録させるように制御する制御手段と、を具備したことを特徴とする。
【００１３】
第３の発明によるデジタルカメラは、上記第２の発明によるデジタルカメラにおいて、上記制御手段が、上記画像データを画像データ毎に独立した画像ファイルとして上記情報記録媒体に記録させるとともに、新たな履歴情報が作成される毎に該履歴情報を一の履歴ファイルに追記させるように、上記記録読出手段を制御するものである。
【００１４】
第４の発明によるデジタルカメラは、上記第２の発明によるデジタルカメラにおいて、上記制御手段が、上記画像データを画像データ毎に独立した画像ファイルとして上記情報記録媒体に記録させるとともに、新たな履歴情報が作成される毎に該履歴情報を履歴情報毎の独立した履歴ファイルとして該情報記録媒体に記録させるように、上記記録読出手段を制御するものである。
【００１５】
第５の発明によるデジタルカメラは、上記第４の発明によるデジタルカメラにおいて、上記制御手段が、上記履歴ファイルに、該履歴ファイルが作成された順序に応じた連続した数字を含むファイル名を付するように、上記記録読出手段を制御するとともに、該ファイル名の数字部分を参照することにより最新の履歴情報を含む履歴ファイルであるか否かを判断するものである。
【００１６】
第６の発明によるデジタルカメラは、上記第２の発明によるデジタルカメラにおいて、上記制御手段が、上記履歴情報における印刷された画像データを指し示す情報として、上記撮影分印刷モードにより印刷された全ての画像データに係る画像ファイルのファイル名を用いるものである。
【００１７】
第７の発明によるデジタルカメラは、上記第２の発明によるデジタルカメラにおいて、上記制御手段が、上記画像ファイルに、該画像ファイルが撮影された順序に応じた連続した数字を含むファイル名を付するように、上記記録読出手段を制御するものであって、さらに、上記履歴情報における印刷された画像データを指し示す情報として、上記撮影分印刷モードにより印刷された全ての画像データに係る画像ファイルのファイル名の内の、該ファイル名に含まれる数字部分が最も小さいファイル名と、最も大きいファイル名と、を用いるものである。
【００１８】
第８の発明によるデジタルカメラは、上記第第６または第７の発明によるデジタルカメラにおいて、上記履歴ファイルに記録される画像ファイルのファイル名が、上記情報記録媒体に構築されるファイルシステムにより規定される絶対パスを含むファイル名である。
【００１９】
第９の発明によるデジタルカメラは、上記第２の発明によるデジタルカメラにおいて、印刷モードとして上記撮影分印刷モードにより過去に印刷された一連の画像データを印刷対象とする過去ファイル印刷モードをさらに設定可能であり、上記制御手段は、上記履歴情報に含まれる画像データを指し示す情報に基づき、印刷対象とする画像データを設定するものである。
【００２０】
第１０の発明によるデジタルカメラは、上記第２の発明によるデジタルカメラにおいて、印刷モードとして複数の画像データを一の印刷用紙に配列して印刷するためのインデックス印刷モードをさらに設定可能であって、このインデックス印刷モードにおいては、複数の画像データとして、上記情報記録媒体に記録されている全画像データと、上記撮影分印刷モードにより印刷された履歴のある一連の画像データと、の何れかを少なくとも指定可能であり、上記制御手段は、インデックス印刷モードにおいて撮影分印刷モードにより印刷された履歴のある一連の画像データが指定された場合には、上記履歴情報に含まれる画像データを指し示す情報に基づき、印刷対象とする画像データを設定するものである。
【００２１】
【発明の実施の形態】
以下、図面を参照して本発明の実施の形態を説明する。
図１から図１１は本発明の一実施形態を示したものであり、図１はデジタルカメラをプリンタに接続した状態のプリントシステムを示す図である。
【００２２】
このプリントシステムは、被写体を電子的に撮影して画像データを生成するデジタルカメラ１と、このデジタルカメラ１から出力される画像データに基づき画像をプリントするプリンタ１１と、を機能的に結合することにより構成されている。
【００２３】
上記デジタルカメラ１は、被写体を光学的に観察するための観察光学系における接眼レンズ２が背面上部に配置されるとともに、電子的に撮影される被写体像を観察するための例えばＴＦＴ液晶等でなるカラー液晶３が背面の例えば左側に配設されている。
【００２４】
また、デジタルカメラ１の上面右側には、被写体を撮影する際のレリーズボタン４が配設され、また、上記カラー液晶３の右側となる背面には、プリントモードを設定するためのプリントモード設定スイッチ５や、各種の設定を行うためのスイッチ群６Ｕ，６Ｄ，６Ｌ，６Ｒ，７，８などが配設されている。
【００２５】
一方、上記プリンタ１１は、プリントを開始させるためのプリントスイッチ１２と、印刷後のプリントを排出するための排出口１３と、が設けられている。
【００２６】
なお、プリントスイッチ１２は、ここではプリンタ１１側に設けたが、デジタルカメラ１側に設けても構わないし、双方にあっても良い。
【００２７】
次に、図２は、上記図１に示したようにデジタルカメラ１とプリンタ１１とが接続されてなるプリントシステムの、主として電気的な構成を示すブロック図である。
【００２８】
上記デジタルカメラ１は、光学的に結像された被写体像を電子的に撮影する撮像手段たる撮像回路２２と、後述するＣＰＵ２１の作業用メモリとなるワークメモリ２３と、上記撮像回路２２から出力された画像データに画像処理を行うためのＡＳＩＣ（Application Specific Integrated Circuit）２４と、画像データや後述する履歴情報を記憶するための不揮発性メモリでなる情報記録媒体たる画像メモリ２６と、この画像メモリ２６へのデータの書き込みや読み出しを制御するための記録読出手段たるメモリＩ／Ｆ２５と、上記カラー液晶３と、このカラー液晶３に画像等を表示させるための制御を行う表示回路２７と、外部からの電源供給を受けて後述する充電電池３０や電源回路３１へ供給する充電回路２９と、この充電回路２９からの電源供給を受けて充電することが可能な２次電池等でなる充電電池３０と、外部からの電源供給を受けている場合には上記充電回路２９から、外部からの電源供給を受けていない場合には上記充電電池３０から電力を供給されてこのデジタルカメラ１内部の各回路に供給する電源回路３１と、上記プリンタ１１との通信を行うための例えばＵＳＢ等でなるカメラ側通信手段たる通信Ｉ／Ｆ２８と、上記撮像回路２２、ワークメモリ２３、ＡＳＩＣ２４、メモリＩ／Ｆ２５、表示回路２７、通信Ｉ／Ｆ２８とバスを介して互いに接続されていてこれらの回路を含むこのデジタルカメラ１全体を統括的に制御する制御手段たるＣＰＵ２１と、を有して構成されている。
【００２９】
なお、上記画像メモリ２６は、このデジタルカメラ１に内蔵されるメモリであっても良いし、メモリカード等の該デジタルカメラ１に着脱自在となるように構成されたメモリであっても構わない。
【００３０】
上記プリンタ１１は、上記デジタルカメラ１の通信Ｉ／Ｆ２８と通信を行うための例えばＵＳＢ等でなるプリンタ側通信手段たる通信Ｉ／Ｆ４３と、この通信Ｉ／Ｆ４３を介して上記デジタルカメラ１から受信する１ライン毎の画像データを記憶するためのラインバッファ等でなる画像バッファ４４と、受信した画像データに印刷前の処理を行うＡＳＩＣ４５と、このＡＳＩＣ４５により処理された画像データに基づき各画素の印刷濃度に応じて該画素に対応して配列された発熱素子を加熱しインクリボンのインクを印刷用紙に転写する印刷手段たるサーマルプリントヘッド（図中、ＴＰＨと省略している）４６と、外部のＡＣ電源等に接続されることによりこのプリンタ１１内部の各回路へ電力を供給するとともに、上記デジタルカメラ１が接続された際に該デジタルカメラ１の充電回路２９に対しても電力供給を行う電源４７と、上記サーマルプリントヘッド４６による熱転写に連動して印刷用紙とインクリボンとを給送する紙，リボン給送機構４２と、この紙，リボン給送機構４２や上記プリントスイッチ１２が接続されるとともに上記通信Ｉ／Ｆ４３、画像バッファ４４、ＡＳＩＣ４５、サーマルプリントヘッド４６とバスを介して互いに接続されていてこれらの回路を含むこのプリンタ１１全体を統括的に制御する制御手段たるＣＰＵ４１と、を有して構成されている。
【００３１】
図３は、プリンタ１１が接続されたときのデジタルカメラ１の動作を示すフローチャートである。
【００３２】
デジタルカメラ１の通信Ｉ／Ｆ２８と、プリンタ１１の通信Ｉ／Ｆ４３との通信が可能になることにより、デジタルカメラ１とプリンタ１１とが接続されたことが確認されたら、デジタルカメラ１においては、この処理が開始される。
【００３３】
その後に、プリンタ１１の上記プリントスイッチ１２が押圧されると、該プリンタ１１のＣＰＵ４１からプリントするべき画像があるかが問い合わせられるので、それを待機する（ステップＳ１）。
【００３４】
問い合わせがあったところで、このデジタルカメラ１が撮影分印刷モード（印刷の実績を表すデータに依拠した印刷を行うモード。後に詳述する。）に設定されているか否かを判断して（ステップＳ２）、設定されている場合には、前回、撮影分印刷モードで印刷して以降に新たに撮影された新規撮影画像があるか否かを判断する（ステップＳ３）。
【００３５】
新規撮影画像がある場合には、「画像あり」の情報を例えばフラグとしてセットし（ステップＳ４）、一方、新規撮影画像がない場合には、「画像なし」を同様に例えばフラグとしてセットする（ステップＳ６）。
【００３６】
また、上記ステップＳ２において、撮影分印刷モードに設定されていないと判断した場合には、例えば１画面印刷モードなどのその他の印刷モードにおいて印刷設定された画像があるか否かを判断して（ステップＳ５）、ある場合には上記ステップＳ４、ない場合には上記ステップＳ６へ行って、画像の有無をフラグ等でセットする。
【００３７】
こうして、上記ステップＳ４またはステップＳ６において画像の有無が設定された後に、プリンタ１１からインクリボンがないことを示すリボンなし情報または印刷用紙がないことを示す用紙なし情報（両方を合わせてリボン用紙なし情報という）が送られてきているか否かを判断して（ステップＳ７）、送られてきている場合には、インクリボンがないときにはその旨を、印刷用紙がない場合にはその旨を、例えば上記カラー液晶３に表示することにより、あるいはブザーや音声等により、警告する（ステップＳ８）。
【００３８】
また、上記ステップＳ７において、リボン用紙なし情報をプリンタ１１から受信していない場合には、撮影分印刷モードに設定されているか否かを再度確認して（ステップＳ９）、撮影分印刷モードである場合には、画像メモリ２６中に履歴ディレクトリがあるかないかを判断する（ステップＳ１０）。ここで、履歴ディレクトリがない場合には新規に作成し（ステップＳ１１）、既に履歴ディレクトリがある場合には、この履歴ディレクトリに格納されている履歴ファイルから、前回、撮影分印刷モードにより印刷した最終プリント画像ファイルを確認する（ステップＳ１２）。
【００３９】
また、上記ステップＳ９において、撮影分印刷モードに設定されていない場合には、プリント対象として設定された画像ファイルを確認する（ステップＳ１３）。
【００４０】
上記ステップＳ１１、ステップＳ１２、ステップＳ１３の何れかが終了したら、次に、プリント画像を指定して（ステップＳ１４）、このデジタルカメラ１側におけるプリント処理を行う（ステップＳ１５）。
【００４１】
その後、ジャム情報をプリンタ１１から受信することなく、プリント処理が正常に終了したか否かを確認して（ステップＳ１６）、正常に終了した場合には、全ての画像についてのプリントが終了したか否かをさらに判断し（ステップＳ１７）、まだ終了していない場合には、上記ステップＳ１４へ行って上述したような処理を繰り返す。
【００４２】
また、上記ステップＳ１６において、ジャム情報を受信した場合には、その旨を、例えば上記カラー液晶３に表示することにより、あるいはブザーや音声等により、警告する（ステップＳ１８）。
【００４３】
上記ステップＳ１７において全ての画像についての印刷が終了したことが確認された後、または上記ステップＳ１８において「ジャム」警告を行った後に、プリント履歴を作成して履歴ファイルに書き込む（ステップＳ１９）。この履歴ファイルの詳細については後で詳しく説明する。
【００４４】
上記ステップＳ８または上記ステップＳ１９が終了したら、次に、充電指示があるか否かを判断し（ステップＳ２０）、ない場合には上記ステップＳ７へ行き、ある場合には充電回路２９から充電電池３０への充電処理を行う（ステップＳ２１）。この充電処理においては、充電電池３０への充電が完了したところで、その旨をプリンタ１１側へ通知するようになっている。
【００４５】
こうして充電処理が完了したら、この処理を終了する。
【００４６】
図４は、デジタルカメラ１が接続されたときのプリンタ１１の動作を示すフローチャートである。
【００４７】
電源が投入されるなどにより動作が開始されると、このプリンタ１１内部の初期セットが行われ（ステップＳ３１）、その後は、上記デジタルカメラ１が接続されるのを待機する（ステップＳ３２）。
【００４８】
このステップＳ３２において上記通信Ｉ／Ｆ２８と通信Ｉ／Ｆ４３との通信が可能になることによりデジタルカメラ１が接続されたことが確認されたら、上記プリントスイッチ１２がオンになっているか否かを判断し（ステップＳ３３）、オンになっている場合には、上記デジタルカメラ１から送信される画像の有無に関する情報、つまり上記ステップＳ４またはステップＳ６において「画像あり」と「画像なし」の何れがセットされたかに応じて、プリントするべき画像があるか否かを判断する（ステップＳ３４）。
【００４９】
ここで、プリントするべき画像がない場合には上記ステップＳ３３に戻り、一方、プリントするべき画像がある場合には、さらに、インクリボン及び印刷用紙があるか否かを判断する（ステップＳ３５）。そして、両方ともある場合には、プリント処理を行う（ステップＳ３６）。このプリント処理が終了した後は、上記ステップＳ３４へ行って、次のプリント画像に対する判断を行う。
【００５０】
また、上記ステップＳ３５において、インクリボンと印刷用紙との少なくとも一方がないと判断された場合には、その旨をデジタルカメラ１側に通知して（ステップＳ３７）、その通知を受けたデジタルカメラ１における警告を見たユーザによりインクリボンまたは用紙が補給され、その結果、インクリボンまたは印刷用紙がない状態からある状態に変化したかを判断する（ステップＳ３８）。
【００５１】
ここで何れの補給もない場合には、一定時間が経過するまでは（ステップＳ３９）、上記ステップＳ３８の判断を繰り返して行い、一方、一定時間が経過した場合には、後述するステップＳ４２へ行く。
【００５２】
こうして、ステップＳ３８において、インクリボンまたは印刷用紙が補給されたと判断した場合には、デジタルカメラにその旨を通知し（ステップＳ４０）、上記ステップＳ３５へ行って、インクリボンと印刷用紙の双方が揃ったかを判断する。
また、上記ステップＳ３３において、上記プリントスイッチ１２がオフであると判断された場合には、一定時間が経過したか否かを判断して（ステップＳ４１）、一定時間が経過するまでは上記ステップＳ３３に戻って、プリントスイッチ１２がオンされるのを待機する。
【００５３】
上記ステップＳ３９またはこのステップＳ４１において、一定時間が経過したと判断された場合には、デジタルカメラ１へ充電指示を行う（ステップＳ４２）。デジタルカメラ１は、上記ステップＳ２０において、この充電指示の判断を行うようになっている。そして充電指示が行われたときには、プリンタ１１の電源４７からデジタルカメラ１の充電回路２９へ電源が供給され、該デジタルカメラ１において、上記ステップＳ２１の充電処理を行うことにより、該充電回路２９から充電電池３０への充電が行われる。
【００５４】
その後、デジタルカメラ１から充電が終了した旨の通知が来るのを待って（ステップＳ４３）、充電が終了するまでは上記ステップＳ４２による充電の指示を継続させ、充電が終了したことが確認されたところで、この処理を終了する。
【００５５】
図５は、デジタルカメラ１におけるプリントモードセットの動作を示すフローチャートである。
【００５６】
このプリントモードセットの動作は、デジタルカメラ１の電源がオンされたときに自動的に行われるとともに、さらに、上記プリントモード設定スイッチ５が操作される都度に行われるようになっている。
【００５７】
この動作が開始されると、まず、自動的に撮影分印刷モードがセットされる（ステップＳ５１）。その後、ユーザが上記プリントモード設定スイッチ５やスイッチ群６Ｕ，６Ｄ，６Ｌ，６Ｒ，７，８を操作したかの判断を行い、操作されている場合には、操作に応じたモードセットを行うようになっている。
【００５８】
このようなモード設定の操作がなされた場合には、まず、なされた操作が全画面印刷モードを設定するスイッチ操作であるか否かを判断し（ステップＳ５２）、そうである場合には、全画面印刷モードにセットして（ステップＳ５３）、終了する。
【００５９】
また、全画面印刷モードを設定するスイッチ操作でない場合には、次に、１画面印刷モードを設定するスイッチ操作であるか否かを判断する（ステップＳ５４）。ここで、該スイッチ操作である場合には、１画面選択の処理を行うことにより、印刷対象となる画像をユーザに決定させ（ステップＳ５５）、決定された画像のみを印刷する１画面印刷モードをセットして（ステップＳ５６）、終了する。
【００６０】
上記ステップＳ５４において、１画面印刷モードを設定するスイッチ操作でない場合には、さらに、過去ファイル印刷モードを設定するスイッチ操作であるか否かを判断する（ステップＳ５７）。ここで、該スイッチ操作である場合には、ユーザによる過去の履歴ファイルの選択が、上記スイッチ群６Ｕ，６Ｄ，６Ｌ，６Ｒ，７，８を操作することにより行われる（ステップＳ５８）。履歴ファイルが選択されると、該履歴ファイルに記録されている画像を印刷対象とする過去ファイル印刷モードをセットして（ステップＳ５９）、終了する。
【００６１】
上記ステップＳ５７において、過去ファイル印刷モードを設定するスイッチ操作でない場合には、続いて、インデックス印刷モードを設定するスイッチ操作であるか否かを判断する（ステップＳ６０）。ここで、該スイッチ操作である場合には、画像メモリ２６に記録されている全画像に係るインデックス画面を印刷対象とするか、あるいは履歴ファイルを選択して該履歴ファイルに記録されている全画像に係るインデックス画面を印刷対象とするかを選択し（ステップＳ６１）、選択されたインデックス画面を印刷するインデックス印刷モードをセットして（ステップＳ６２）、終了する。
【００６２】
上記ステップＳ６０において、インデックス印刷モードを設定するスイッチ操作でない場合には、上記ステップＳ５１における撮影分印刷モードの設定がそのまま有効となって、この処理を終了する。
【００６３】
このようなプリントシステムにおいて設定可能な印刷モード、すなわち、撮影分印刷モードと、全画面印刷モードと、１画面印刷モードと、インデックス印刷モードと、過去ファイル印刷モードと、について、さらに説明する。
【００６４】
上記撮影分印刷モードにおいては、一括印刷した画像ファイル名を履歴情報として記録する履歴ファイルを参照して、その参照結果に応じて印刷を行うようになっている。すなわち、この撮影分印刷モードは、履歴ファイルがない場合には、画像メモリ２６に記録されている全ての画像ファイルを対象として印刷を行い、また、履歴ファイルがある場合には、最新の履歴ファイルを参照して、該履歴ファイルに記録されている画像ファイル以降に新たに撮影した画像ファイルを一括印刷するモードとなっている。この撮影分印刷モードは、上述したように、ユーザが特段の設定を行わない場合には、自動的に設定されるモードとなっている。
【００６５】
また、その他の全画面印刷モード、１画面印刷モード、インデックス印刷モード、過去ファイル印刷モードは、デジタルカメラ１において、上述したようにモード切換操作がなされて選択されたときに設定される。
【００６６】
まず、上記１画面印刷モードは、デジタルカメラ１のカラー液晶３に画像を表示して、その画像を見ながらユーザが印刷対象となる画像を選択し、選択された画像をプリントするモードである。
【００６７】
また、上記全画面印刷モードは、上記画像メモリ２６に記録されている全画像を対象として、印刷を行うモードである。
【００６８】
さらに、上記インデックス印刷モードは、撮影分印刷モードで作成した履歴ファイルに記録されている画像を対象として、または画像メモリ２６に記録されている全画像を対象として、各画像を縮小して１つの印刷用紙に配列するインデックス印刷を行うモードである。
【００６９】
そして、上記過去ファイル印刷モードは、上記撮影分印刷モードで作成した履歴ファイルの何れかを選択して、選択した履歴ファイルに記録されている画像を一括して印刷するモードである。この履歴ファイルは、過去に一括して印刷した一連の画像が記録されているものであるために、いわば一括した焼き増しのモードとなっている。
【００７０】
上記履歴ファイルについて、図９から図１１を参照してさらに説明する。図９は、画像メモリ２６に構築されたファイルシステムの概要を示す図である。
【００７１】
このファイルシステムは、ルート（ＲＯＯＴ）を起点として枝状に分岐するツリー構造をなしている。このルートには、ＤＣＦイメージディレクトリ（ＤＣＩＭ）と、ＤＰＯＦディレクトリ（ＭＩＳＣ）と、履歴ディレクトリ（ＨＳＴＲＹ）と、が設けられており、各ディレクトリ内にファイルやディレクトリが格納されている。
【００７２】
上記ＤＣＦイメージディレクトリ（ＤＣＩＭ）には、さらにＤＣＦディレクトリが設けられており、例えば１００ＡＢＣＤＥ，１０１ＡＢＣＤＥ，１０２ＡＢＣＤＥなどと連続した数字を含む名前が付けられている。各ＤＣＦディレクトリ内に、ＤＣＦファイルが格納されていて、上記ＤＣＦディレクトリ（１００ＡＢＣＤＥ）には、例えばＡＢＣＤ０００１，ＡＢＣＤ０００２，ＡＢＣＤ０００３などのやはり連続した数字を含むファイル名が付けられたＤＣＦファイルが格納されている。このＤＣＦファイルのファイル名に含まれる連続した数字は、撮影が行われた順に付されるものとなっていて、逆に言えば、ファイル名の数字部分を識別することにより、最新のファイルであるかどうかなどを判断することができるようになっている。なお、最新のファイルであるかどうかの判断は、タイムスタンプにより行ってももちろん構わない。
【００７３】
上記ＤＰＯＦディレクトリ（ＭＩＳＣ）には、例えばＡＵＴＰＲＩＮＴ．ＭＲＫと名付けられたＤＰＯＦファイルが格納されている。
【００７４】
上記履歴ディレクトリ（ＨＳＴＲＹ）は、上述した撮影分印刷モードに係る履歴ファイルを格納するディレクトリである。
【００７５】
この履歴ファイルについては、複数の履歴を１つのファイル内で管理する場合と、履歴毎に履歴ファイルを毎回作成して複数ファイルとし管理する場合とがある。
【００７６】
まず、図１０は、１つのファイル内に複数の履歴を記録する場合の例を示す図である。
【００７７】
履歴ファイルには例えばＣＮＶＨＳＴ．ＨＳＴというファイル名が付されており、このファイル内には、日時と、一括印刷した全ての画像ファイル名とが記録されている。
【００７８】
すなわち、履歴ファイル内には、ヘッダ［ＨＤＲ］が設けられており、利用プリンタ名（Ｐ−２００）と、このファイルを作成した年月日および更新した年月日が記録されている。
【００７９】
さらに履歴ファイル内には、撮影分印刷モードによる印刷を行う毎にジョブ［ＪＯＢ］が設けられており、各ジョブ［ＪＯＢ］内には、プリントを行った年月日と、そのときの印刷対象となった全てのプリントファイル名と、が記録されている。なお、ここでは、プリントファイル名として、上記画像メモリ２６に構築されるファイルシステムにより規定される絶対パスを含むファイル名が記録されている。
【００８０】
なお、この図１０に示したように、複数の履歴を１つのファイル内で管理する場合には、上記図５のステップＳ５８においては、履歴ファイルを選択するのではなく、履歴ファイル内に記録されているジョブ［ＪＯＢ］で区分けされる履歴を選択することになる。
【００８１】
次に、図１１は、履歴毎に独立した履歴ファイルを作成して記録する場合の例を示す図である。
【００８２】
履歴ファイルは、履歴毎に、つまり撮影分印刷モードによる印刷が実行される度に、作成されるようになっており、例えばＣＮＶＨＳＴ００１．ＨＳＴ、ＣＮＶＨＳＴ００２．ＨＳＴ、ＣＮＶＨＳＴ００３．ＨＳＴなどの履歴に一対一に対応して変化する連続した数字を含むファイル名が付されている。すなわち、履歴ファイルのファイル名が付される際には、順次の一連のプリント動作毎に対応してプリントが実行された順序に沿った番号を含むファイル名が自動的に作成されるようになっている。これにより、ファイル名の数字部分を識別することにより、最新のファイルであるかどうかを判断することができるようになっている。なお、最新のファイルであるかどうかの判断は、タイムスタンプにより行ってももちろん構わない。
【００８３】
各ファイル内にはヘッダ［ＨＤＲ］とジョブ［ＪＯＢ］とが設けられているが、上記図１０に示した例と異なり、ジョブ［ＪＯＢ］はファイル内に１つだけであり、さらに、ヘッダ［ＨＤＲ］における更新の年月日と、ジョブ［ＪＯＢ］におけるプリントを行った年月日とは不要となるために記録されていない。
【００８４】
そして、ジョブ［ＪＯＢ］のプリントファイル名は、上述したように画像ファイルのファイル名に含まれている連続する数字の順に、先頭の画像ファイルと後尾の画像ファイルのみが記録されるようになっていて、これにより、履歴ファイルのサイズを小さく保つことが可能である。なお、ここでも、プリントファイル名として、上記画像メモリ２６に構築されるファイルシステムにより規定される絶対パスを含むファイル名が記録されている。
【００８５】
このような履歴ファイルを、例えば過去ファイル印刷モードにおいて指定して、印刷を行う際には、これら先頭のファイルと後尾のファイルとに挟まれたファイルについても、印刷対象として指定されるようになっている。
【００８６】
次に、図６は、デジタルカメラ１側におけるプリント処理を示すフローチャートである。
【００８７】
上記図３のステップＳ１５においてこのプリント処理が実行されると、まず、プリンタ１１から画像展開の指示が送られて来ているか否かを判断し（ステップＳ７１）、指示が来るまで待機する。
【００８８】
指示が来たところで、ＣＰＵ２１は、画像データをプリンタ１１で印刷するためのデータに変換させる処理を、ＡＳＩＣ２４に行わせる（ステップＳ７２）。この処理においては、例えばＲＧＢでなる画像データをイエロー（Ｙ），マゼンタ（Ｍ），シアン（Ｃ）でなるインクリボンの各色の画像データに変換する処理などが行われる。
【００８９】
そして、この画像展開の処理が終了したところで、印刷用の画像データをプリンタ１１に送信する準備が完了したとして、その旨をプリンタ１１に通知する（ステップＳ７３）。
【００９０】
次に、プリンタ１１側から画像送信の指示があるのを待機し（ステップＳ７４）、指示を受けたところで、１画面分の画像データの内の、１ライン分の画像データだけを送信する（ステップＳ７５）。
【００９１】
その後、ジャム通知をプリンタ１１側から受けているか否かを判断して（ステップＳ７６）、受けていない場合には、１画面分の画像データを送信し終わったか否かを判断し（ステップＳ７７）、まだ未送信のラインデータが存在する場合には上記ステップＳ７４へ行って１ラインずつのデータ送信を継続する。
【００９２】
そして、該ステップＳ７７において１画面分の画像データを送信し終えたと判断されたところで、この処理を終了して、上記図３に示した処理にリターンする。
【００９３】
また、上記ステップＳ７６において、プリンタ１１からのジャム通知を受け取った場合には、上記ステップＳ１６において判断を行うためのジャム情報をセットしてから（ステップＳ７８）、上記図３に示した処理にリターンする。
【００９４】
図７はプリンタ１１側におけるプリント処理を示すフローチャートである。
【００９５】
上記図４のステップＳ３６においてこのプリント処理が実行されると、ＣＰＵ４１は、まず、デジタルカメラ１側に対して、通信Ｉ／Ｆ４３を介して画像展開の指示を送信する（ステップＳ８１）。この画像展開の指示は、デジタルカメラ１の上記ステップＳ７１において用いられるものである。
【００９６】
次に、ＣＰＵ４１は、上記紙，リボン給送機構４２により印刷用紙を印刷の初期位置まで給送させ（ステップＳ８２）、その後、デジタルカメラ１側から、画像展開が終了して画像データを送る準備が完了した旨の通知を受信するのを待機する（ステップＳ８３）。この判断は、デジタルカメラ１側のステップＳ７３における処理に対応して行われる。
【００９７】
このステップＳ８３において、デジタルカメラ１の準備が完了したことが確認されたら、次に、画像転送割り込みを許可して（ステップＳ８４）、タイマをスタートさせる（ステップＳ８５）。
【００９８】
そして、上述したようなラインバッファでなる画像バッファ４４が空になっているか否かを判断して（ステップＳ８６）、空である場合には次の１ライン分の画像データをデジタルカメラ１に対して要求する（ステップＳ８７）。この１ラインデータ要求は、デジタルカメラ１において上記ステップＳ７４の判断に用いられる。
【００９９】
また、上記ステップＳ８６において、画像バッファ４４がまだ空になっていないと判断した場合には、画像データを上記サーマルプリントヘッド４６へ送って、ライン状に配列された各画素に対応する発熱素子をデータに応じて加熱する（ステップＳ８８）。
【０１００】
上記ステップＳ８７またはステップＳ８８が終了したら、上記タイマにより計測している時間が、印刷用紙を１ライン分だけ給送する時間になっているか否かを判断して（ステップＳ８９）、まだ送る時間に満たないときは上記ステップＳ８６に戻り、送る時間に達しているときは、紙送りをしながらインクリボンを介して上記サーマルプリントヘッド４６を印刷用紙に押圧することにより、インクリボンのインクを転写させて１ライン分の印刷を行う（ステップＳ９０）。
【０１０１】
その後、ジャムがあったか否かを判断し（ステップＳ９１）、ジャムがない場合には、全てのラインについて印刷が終了したか否かを判断し（ステップＳ９２）、まだ印刷すべきラインが残っている場合には、上記ステップＳ８６へ行ってライン毎の印刷動作を継続して行う。
【０１０２】
そして、画像の印刷が終了したことが確認されたら、終了通知をデジタルカメラ１側に対して送信する（ステップＳ９３）。これは、デジタルカメラ１において、上記ステップＳ７７での判断に用いられる。
【０１０３】
また、上記ステップＳ９１において、ジャムがあったと判断した場合には、ジャム通知をデジタルカメラ１側に対して送信する（ステップＳ９４）。
【０１０４】
こうして上記ステップＳ９３またはステップＳ９４が終了したところで、上記ステップＳ８４において許可しておいた画像転送割り込みを禁止し（ステップＳ９５）、上記図４に示した処理にリターンする。
【０１０５】
このプリンタ１１側のプリント処理においては、上記ステップＳ８４において許可されてから上記ステップＳ９５において禁止させるまでの間は、画像転送割り込みが許可されている。
【０１０６】
図８は、プリンタ１１側における画像転送割り込みの処理を示すフローチャートである。
【０１０７】
この処理は、デジタルカメラ１における上記ステップＳ７５の１ラインデータ送信を受けたプリンタ１１側において、割り込み処理として動作が行われる。この割り込み処理が開始されると、デジタルカメラ１から送信されて来る１ラインのデータを受け取って（ステップＳ１０１）、受け取った１ラインの画像データを上記画像バッファ４４に格納する（ステップＳ１０２）。その後、上記ＡＳＩＣ４５において必要な画像補正を行った後に（ステップＳ１０３）、この割り込み処理からリターンするようになっている。
【０１０８】
このような実施形態によれば、撮影分印刷モードにより印刷された画像ファイル名を履歴情報として履歴ファイルに記録するようにしたために、ユーザーが面倒な指定を行わなくても、未印刷の最新画像を自動的に印刷することができ、印刷時の操作性を大幅に向上することが可能となる。
【０１０９】
また、新たな履歴情報を一の履歴ファイルに追記する場合には、履歴ファイルの数を単一に保つことが可能となる。
【０１１０】
さらに、履歴情報毎に独立した履歴ファイルを作成する場合には、履歴ファイルのサイズを小さく保つことができる。
【０１１１】
加えて、連続する数字を含むファイル名が付された画像ファイルについて、履歴ファイルに、先頭の画像ファイルのファイル名と、後尾の画像ファイルのファイル名のみを記録することにより、履歴ファイルのサイズを小さく保つことができる。
【０１１２】
そして、履歴ファイル自体に連続する数字を含むファイル名を付することにより、最新の履歴ファイルを素早く容易に検索することが可能となる。
【０１１３】
また、履歴ファイルに記録する画像ファイルのファイル名を、絶対パスで記録することにより、目的とする画像ファイルへのアクセス時間を短縮することが可能となる。
【０１１４】
さらに、過去ファイル印刷モードやインデックス印刷モードにおいても、履歴ファイルを用いることにより、簡単な操作で一連の画像データを印刷対象に設定して印刷を行うことが可能となる。
【０１１５】
なお、本発明は上述した実施形態に限定されるものではなく、発明の主旨を逸脱しない範囲内において種々の変形や応用が可能であることは勿論である。
【０１１６】
【発明の効果】
以上説明したように本発明のプリントシステム、デジタルカメラによれば、未印刷の一連の画像を手軽にプリントすることが可能となる。
【図面の簡単な説明】
【図１】本発明の一実施形態のデジタルカメラをプリンタに接続した状態のプリントシステムを示す図。
【図２】上記図１に示したようにデジタルカメラとプリンタとが接続されてなるプリントシステムの、主として電気的な構成を示すブロック図。
【図３】上記実施形態において、プリンタが接続されたときのデジタルカメラの動作を示すフローチャート。
【図４】上記実施形態において、デジタルカメラが接続されたときのプリンタの動作を示すフローチャート。
【図５】上記実施形態のデジタルカメラにおけるプリントモードセットの動作を示すフローチャート。
【図６】上記実施形態のデジタルカメラ側におけるプリント処理を示すフローチャート。
【図７】上記実施形態のプリンタ側におけるプリント処理を示すフローチャート。
【図８】上記実施形態のプリンタ側における画像転送割り込みの処理を示すフローチャート。
【図９】上記実施形態において、画像メモリに構築されたファイルシステムの概要を示す図。
【図１０】上記実施形態において、１つのファイル内に複数の履歴を記録する場合の例を示す図。
【図１１】上記実施形態において、履歴毎に独立した履歴ファイルを作成して記録する場合の例を示す図。
【符号の説明】
１…デジタルカメラ
３…カラー液晶
５…プリントモード設定スイッチ
１１…プリンタ
１２…プリントスイッチ
２１，４１…ＣＰＵ（制御手段）
２２…撮像回路（撮像手段）
２３…ワークメモリ
２４，４５…ＡＳＩＣ
２５…メモリＩ／Ｆ（記録読出手段）
２６…画像メモリ（情報記録媒体）
２７…表示回路
２８…通信Ｉ／Ｆ（カメラ側通信手段）
２９…充電回路
３０…充電電池
３１…電源回路
４２…紙，リボン給送機構
４３…通信Ｉ／Ｆ（プリンタ側通信手段）
４４…画像バッファ
４６…サーマルプリントヘッド（ＴＰＨ）（印刷手段）
４７…電源
【図１】
0003828406.tif 000002
【図２】
0003828406.tif 000003
【図３】
0003828406.tif 000004
【図４】
0003828406.tif 000005
【図５】
0003828406.tif 000006
【図６】
0003828406.tif 000007
【図７】
0003828406.tif 000008
【図８】
0003828406.tif 000009
【図９】
0003828406.tif 000010
【図１０】
0003828406.tif 000011
【図１１】
0003828406.tif 000012